(57)【要約】【課題】  金庫から回収した貨幣を、着服や強奪から護る。【解決手段】  遊技場に設置された金庫１０から、貨幣を回収する係員の行動を監視する遊技場の貨幣回収監視システム１であって、係員に携行され、固有情報を無線で発信する端末装置４０と、金庫１０を含む遊技場の複数箇所に配置され、所定の領域内において固有情報を受信する中継装置２０と、各中継装置２０と通信可能に接続され、各中継装置２０から固有情報を受信する管理装置３０と、を備え、管理装置３０は、回収対象となる金庫に対応した領域を少なくとも含む回収ルートを予め設定可能であり、固有情報を送信した中継装置２０に対応する領域から、端末装置４０の位置を特定するとともに、端末装置４０の位置と回収ルートとに基づいて係員の異常行動を判定する構成としてある。【選択図】      図３
2010179041.tif 000002
【特許請求の範囲】
【請求項１】
遊技場に設置された金庫から、遊技に投資された貨幣を回収する係員の行動を監視する遊技場の貨幣回収監視システムであって、
係員に携行され、固有情報を無線で発信する端末装置と、
少なくとも前記金庫を含む遊技場の複数箇所に配置され、所定の領域内において前記固有情報を受信する中継装置と、
前記各中継装置と通信可能に接続され、各中継装置から前記固有情報を受信する管理装置と、を備え、
前記管理装置は、
回収対象となる金庫に対応した前記領域を少なくとも含む回収ルートを、予め設定する回収ルート設定手段と、
前記固有情報を送信した中継装置に対応する前記領域から、前記端末装置の位置を特定する位置特定手段と、
前記端末装置の位置と前記回収ルートとに基づいて係員の異常行動を判定する異常行動判定手段と、を備えることを特徴とする遊技場の貨幣回収監視システム。
【請求項２】
前記端末装置を、回収する貨幣を収納する収納容器に取外し不能に取付けた請求項１記載の遊技場の貨幣回収監視システム。
【請求項３】
前記異常行動判定手段は、前記端末装置の位置が前記回収ルートから外れているときに異常行動と判定する請求項１又は２記載の遊技場の貨幣回収監視システム。
【請求項４】
前記回収ルートに含まれない特定箇所に前記中継装置を配置し、
前記異常行動判定手段は、いずれかの金庫に対応する前記領域で前記端末装置の位置が特定された後に、前記特定箇所に対応する前記領域で前記端末装置の位置が特定されたときに、異常行動と判定する請求項３記載の遊技場の貨幣回収監視システム。
【請求項５】
前記回収ルートには、回収する金庫の順番が含まれ、
前記管理装置は、
前記端末装置の位置の変遷を記憶する記憶手段を備え、
前記異常行動判定手段は、この記憶した変遷が前記回収する金庫の順番と異なるときに、異常行動と判定する請求項１〜４のいずれか一項に記載の遊技場の貨幣回収監視システム。
【請求項６】
前記管理装置は、
前記回収ルートにおける前記領域間を係員が移動するのに要する所要時間を、領域間ごとに予め設定する所要時間設定手段と、
前記回収ルートにおける一の領域で前記端末装置の位置が特定された後に、この領域で前記端末装置の位置が特定されなくなったときから計時を開始し、この回収ルートに従う次の領域で前記端末装置の位置が特定されるまでの移動時間を監視する移動時間監視手段と、を備え、
異常行動判定手段は、前記移動時間が前記所要時間を超えたときに、異常行動と判定する請求項１〜５のいずれか一項に記載の遊技場の貨幣回収監視システム。
【請求項７】
前記金庫は、前記固有情報を受信可能な受信手段と、この固有情報の受信に基づいて開錠させる開錠手段と、を備える請求項１〜６のいずれか一項に記載の遊技場の貨幣回収監視システム。
【請求項８】
前記管理装置は、前記各金庫と通信可能に接続されるとともに、
前記各金庫を制御して、前記開錠手段による開錠を禁止する開錠禁止手段を備える請求項７記載の遊技場の貨幣回収監視システム。
【請求項９】
前記端末装置は前記固有情報を書換え可能に設けられ、又は、各々異なる前記固有情報を発信する前記端末装置を複数設け、
前記管理装置は、前記各金庫と通信可能に接続されるとともに、
前記固有情報を予め設定する固有情報設定手段と、
前記各金庫が受信した固有情報と予め設定された固有情報とを照合して一致したときに、前記開錠手段を制御して開錠させる開錠制御手段と、を備える請求項７又は８記載の遊技場の貨幣回収監視システム。
【請求項１０】
前記金庫は、その扉が開放されたことを検出する扉開放検出手段を備え、
前記管理装置は、前記各金庫と通信可能に接続されるとともに、
前記各金庫の開放・閉塞状態を表示する表示部を備え、
表示部は、遊技場における前記金庫の設置位置を示すレイアウト画面を表示するとともに、このレイアウト画面において、前記金庫の開放・閉塞状態を、所定の表示態様で表示する請求項１〜９のいずれか一項に記載の遊技場の貨幣回収監視システム。
【請求項１１】
前記表示部は、前記レイアウト画面において、前記回収ルートと、前記回収ルートに含まれる前記領域と、前記端末装置の現在位置とを、所定の表示態様で表示する請求項１０記載の遊技場の貨幣回収監視システム。
【発明の詳細な説明】
【技術分野】
【０００１】
本発明は、遊技場に設置された金庫から貨幣を回収する、係員の回収行動を監視する遊技場の貨幣回収監視システムに関し、特に、係員が携行する回収袋に取付けられた端末装置から発信される固有情報を受信して、係員の回収行動を監視する遊技場の貨幣回収監視システムに関する。
【背景技術】
【０００２】
パチンコホール，パチスロホール等の遊技場には、遊技客が遊技に投資した貨幣が収容される金庫が設置されている。
金庫は、遊技台ごとや、複数の遊技台が設置された遊技機島ごとに設置され、遊技客の遊技投資に伴って、その内部に貨幣が蓄積されるようになっている。この蓄積された貨幣は、遊技場の管理者や店員などの係員により、回収袋等の容器に収納されて回収される。
【０００３】
このような金庫は、通常施錠されており、係員の所持する開錠キーでないと開錠することはできない。
ところが、近年では、この開錠キーの合鍵が作製され、不正に開錠されて蓄積された貨幣が窃取されるケースや、回収を行う係員自身が、回収中にトイレなどのひと気のない場所で、回収した貨幣を着服するケース、または、回収中の係員が何者かに襲われ、貨幣が収納された回収袋ごと奪われるケースが多発している。
【０００４】
そこで、合鍵対策に関しては、金庫の開錠権限を有する係員を限定するとともに、この係員の指紋などの個人認証データを事前に登録し、金庫を開錠する際には、個人認証データを入力させ、登録された個人認証データとの照合一致により、開錠させる貨幣収納システムが開示されている（例えば、特許文献１）。
さらに、この貨幣収納システムでは、金庫の開錠順序を事前に登録し、この登録した開錠順序と異なる順序で開錠されたときに報知することで、セキュリティの強化を図っている。
【０００５】
また、係員に書換え可能な認証情報を付与したリモコンを携行させ、このリモコンと金庫とが無線通信を行い、認証情報がキーとなって、金庫が開錠される開錠制御システムが開示されている（例えば、特許文献２）。
【先行技術文献】
【特許文献】
【０００６】
【特許文献１】特開２００８−９９９６７号公報
【特許文献２】特開２００７−１２５１７２号公報
【発明の概要】
【発明が解決しようとする課題】
【０００７】
しかしながら、これらの特許文献に記載されたシステムは、いずれも金庫を開錠する際のセキュリティを向上させることはできるが、回収された貨幣の着服や強奪までは、阻止することはできない。
通常、係員による貨幣の着服は、回収ルートから外れたひと気のない場所で行われ、また、貨幣の強奪は、回収袋ごと回収ルートから外れて持ち逃げされる。
特許文献に記載されたいずれのシステムも、金庫に対するアクセスが前提であることから、金庫から離れた領域を監視することは困難である。
【０００８】
本発明は、以上のような問題を解決するために提案されたものであり、自らの位置を発信する端末装置を係員に携行させるとともに、予め設定された回収ルートと端末装置の位置とに基づいて係員の行動を監視することで、異常行動を容易に判定できる画期的な遊技場の貨幣回収監視システムの提供を目的とする。
【課題を解決するための手段】
【０００９】
上記目的を達成するため、本発明の遊技場の貨幣回収監視システムは、遊技場に設置された金庫から、遊技に投資された貨幣を回収する係員の行動を監視する遊技場の貨幣回収監視システムであって、係員に携行され、固有情報を無線で発信する端末装置と、少なくとも前記金庫を含む遊技場の複数箇所に配置され、所定の領域内において前記固有情報を受信する中継装置と、前記各中継装置と通信可能に接続され、各中継装置から前記固有情報を受信する管理装置と、を備え、前記管理装置は、回収対象となる金庫に対応した前記領域を少なくとも含む回収ルートを、予め設定する回収ルート設定手段と、前記固有情報を送信した中継装置に対応する前記領域から、前記端末装置の位置を特定する位置特定手段と、前記端末装置の位置と前記回収ルートとに基づいて係員の異常行動を判定する異常行動判定手段と、を備える構成としてある。
【発明の効果】
【００１０】
本発明の遊技場の貨幣回収監視システムによれば、金庫から回収した貨幣を、着服や強奪から護ることができる。
【図面の簡単な説明】
【００１１】
【図１】本発明の一実施形態に係る貨幣回収監視システムが適用される遊技場のレイアウトと、各金庫と管理装置との接続状態を示す説明図である。
【図２】本発明の一実施形態に係る貨幣回収監視システムが適用される遊技場の島１エリアにおける金庫と中継装置の配置と、これらの接続状態を示す説明図である。
【図３】本発明の一実施形態に係る貨幣回収監視システムを構成する各装置間の通信形態を示す説明図である。
【図４】本発明の一実施形態に係る貨幣回収監視システムにおける金庫の内部構成を示すブロック図である。
【図５】本発明の一実施形態に係る貨幣回収監視システムにおける中継装置の内部構成を示すブロック図である。
【図６】本発明の一実施形態に係る貨幣回収監視システムにおける端末装置の内部構成を示すブロック図である。
【図７】本発明の一実施形態に係る貨幣回収監視システムにおける管理装置の内部構成を示すブロック図である。
【図８】本発明の一実施形態に係る貨幣回収監視システムを構成する管理装置の表示部に表示される回収ルートを示す図である。
【図９】本発明の一実施形態に係る貨幣回収監視システムを構成する管理装置の表示部に表示される回収ルートの設定内容と係員の行動履歴を示し、移動時間が所定時間を超えて異常と判定された例を示す図である。
【図１０】本発明の一実施形態に係る貨幣回収監視システムを構成する管理装置の表示部に表示される回収ルートの設定内容と係員の行動履歴を示し、（ａ）は、回収ルートから外れたトイレＲが受信領域となり、異常と判定された例を示す図であり、（ｂ）は、回収ルートから外れた出入口Ｅ１が受信領域となり、異常と判定された例を示す図である。
【図１１】本発明の一実施形態に係る遊技場の貨幣回収監視システムを構成する管理装置の表示部に係員の回収状況を遊技場のレイアウトに重ねて表示した表示例であって、回収が正常に行われている例を示す図である。
【図１２】本発明の一実施形態に係る遊技場の貨幣回収監視システムを構成する管理装置の表示部に係員の回収状況を遊技場のレイアウトに重ねて表示した表示例であって、トイレＲで異常が発生している例を示す図である。
【図１３】本発明の一実施形態に係る遊技場の貨幣回収監視システムを構成する管理装置の表示部に係員の回収状況を遊技場のレイアウトに重ねて表示した表示例であって、出入口Ｅ１で異常が発生している例を示す図である。
【図１４】本発明の一実施形態に係る遊技場の貨幣回収監視システムを構成する各装置が連関して行う制御処理のフローチャートである。
【発明を実施するための形態】
【００１２】
以下、本発明に係る遊技場の貨幣回収監視システムの好ましい実施形態について、図面を参照して説明する。
【００１３】
図１〜図３に示すように、本実施形態に係る遊技場の貨幣回収監視システム１は、複数のパチンコ機やスロットマシンなどの遊技機が設置された遊技場１００において、金庫１０−１〜１０−１１から貨幣を回収する係員の行動を監視する貨幣回収監視システムである。
【００１４】
本実施形態の遊技場１には、外部への出入り口となる出入口Ｅ１，Ｅ２と、トイレＲと、複数台（例えば、１８台）の遊技機が設置された島１〜１１と、遊技場の管理者や貨幣の回収を行う係員が常駐している管理事務所Ｋとが、図１に示すようなレイアウトで配置されている。
島１〜１１の端部には、金庫１０−１〜１０−１１が各々設置され、各金庫１０には、各島において遊技者が投資した貨幣が搬送されて、収容されるようになっている。
【００１５】
また、遊技場１００における各金庫１０を含む複数の場所には、端末装置４０が発信する固有情報（ＩＤ）を無線通信で受信する中継装置２０が設置されている。
中継装置２０は、この中継装置２０を中心とした所定の領域内において電波を発信するタグリーダであり、端末装置４０は、この電波を受信して発電するとともに、この電波の反射波として固有情報（ＩＤ）を発信するＲＦタグで構成されている。
中継装置２０は、端末装置４０から固有情報を受信した場合、その位置が遊技場１において特定可能なように、遊技場１００のほぼすべての場所に配置されている。
【００１６】
例えば、島１のエリアでは、図２に示すように、島１の周辺に６台の中継装置２０−１１〜２０−１６と、トイレＲに１台の中継装置２０−１２１が配置されている。
各中継装置２０には、各々端末装置４０からの固有情報（ＩＤ）を受信可能な領域（以下、領域という。）が定められている。中継装置２０−１１〜２０−１６には、各々領域１−１〜１−６が対応し、中継装置２０−１２１には、領域トイレＲが対応するようになっている。
そして、各領域内に端末装置４０があるときに、対応する中継装置２０が端末装置４０から固有情報（ＩＤ）を受信するようになっている。
これにより、固有情報（ＩＤ）を受信した中継装置２０を特定することで、端末装置４０が位置する領域を特定できるようになっている。
【００１７】
また、中継装置２０−１１は、対応する領域１−１が金庫１０−１を含むように配置されている。これにより、この領域１−１内で端末装置４０から固有情報（ＩＤ）を受信した場合に、金庫１０−１を開錠させることが可能となる。
そして、中継装置２０は、他の各島２〜１１においても、ほぼ同様に配置されている。
すなわち、中継装置２０は、各島２〜１１においても、各島の金庫１０をその領域に含む中継装置２０が１台と、その他に５台ずつ配置されている。
なお、各金庫１０をその領域に含むように中継装置２０を配置するのではなく、各金庫１０に、中継装置２０と同様な機能を有する受信部を設けてもよい。
【００１８】
さらに、本実施形態では、中継装置２０を、回収ルートから外れた特定箇所に配置してある。具体的には、回収した貨幣を係員が着服する可能性のあるひと気のない場所や、貨幣の強奪された場合の逃走が特定可能な場所として、トイレＲと、出入口Ｅ１，Ｅ２に中継装置２０−１２１〜１２３を設置してある。
これにより、それぞれの領域トイレＲ、領域出入口Ｅ１、領域出入口Ｅ２において、端末装置４０から固有情報（ＩＤ）を受信した場合には、後述の管理装置３０がただちに係員の異常行動と判定することもできる。
【００１９】
そして、これらの金庫１０と中継装置２０、及び管理装置３０とは、図１〜図３に示すように、ＬＡＮケーブルＬによって接続され、ローカルエリアネットワーク（ＬＡＮ）を構成している。
金庫１０と中継装置２０と管理装置３０には、各々物理アドレス（ＭＡＣアドレス）が付与されており、データ伝送の際にこの物理アドレスを宛先に送信することで、相互に送信元が特定できるようになっている。
例えば、図３に示すように、出入口Ｅ１に配置した中継装置２０−１２２が端末装置４０から固有情報（ＩＤ）を受信した場合には、その中継装置２０−１２２は、受信した固有情報（ＩＤ）を中継装置２０−１２２の物理アドレスとともに管理装置３０に送信する。その結果、管理装置３０は、送信した中継装置２０−１２２をこの物理アドレスにより特定するとともに、端末装置４０の位置を特定できるようになっている。
【００２０】
また、各金庫１０と、各金庫１０をその領域に含む中継装置２０とは、管理装置３０において、各物理アドレスが一対となり、紐付けして記憶されている。
例えば、図３に示すように、島１に配置されている金庫１０−１と、この金庫１０−１をその領域に含む中継装置２０−１１とは、管理装置３０において、各物理アドレスが、紐付けして記憶されている。その結果、管理装置３０は、中継装置２０−１１から固有情報（ＩＤ）と物理アドレスを受信した場合には、係員がこの金庫１０−１にアクセスしようとしているものと判定するとともに、この金庫１０−１に対して開錠信号を送信して、金庫１０−１を開錠させるようになっている。
【００２１】
次に、各装置の構成について、図４〜図７のブロック図を参照しつつ説明する。
まず、金庫１０は、図４に示すように、管理装置３０と相互通信を行う通信部１１と、制御プログラム等の記憶や作業領域として機能する記憶部１２と、金庫の施錠・開錠を制御する開錠部１３と、回収完了を入力する入力部１４と、貨幣の貯留量を検出する貯留検出部１５と、これらを制御する中央演算処理装置（ＣＰＵ）を搭載したコンピュータからなる制御部１６などで構成されている。
【００２２】
開錠部１３は、ソレノイドのオン・オフに対応して金庫の鍵を施錠・開錠する電磁ロック機構からなり、管理装置３０から通信部１１を介して施錠又は開錠信号が送信されると、それぞれに対応して施錠・開錠されるようになっている。
また、開錠部１３には、金庫１０の扉の開放を検出するセンサ等の検出手段が設けられ、金庫１０が開放しているときには、開放信号が、通信部１１を介して、管理装置３０に送信される。
この場合のセンサとしては、例えば、扉の開放により、遮光板が除去されることで、通光を検出して扉の開放を検出するフォトインタラプタや、扉の開放により、アクチュエータの押下が解除されて開放を検出するマイクロスイッチなどを用いることができる。
このように、金庫１０の施錠・開錠及び開放・閉塞状態は、管理装置３０からすべて監視・制御できるようになっている。
【００２３】
貯留検出部１５には、金庫１０に貯留されている貨幣の量を検出するセンサ等の検出手段が設けられ、金庫１０に一定量の貨幣が貯蓄されているときには、満杯信号が、通信部１１を介して、管理装置３０に送信される。
この場合のセンサとしては、例えば、貨幣の重みを検出する圧力センサや、貨幣の収容スペースに亘って複数配置し、収容スペースの増減を検出するフォトインタラプタなどを用いることができる。
これにより、管理装置３０は、各金庫１０における貨幣の量を監視することができ、遊技場の管理者や係員が、貨幣を回収するタイミングを図ることができる。
【００２４】
入力部１４は、金庫１０の扉の外側に設けられた所定のボタンスイッチからなり、金庫１０の扉が閉じられた状態で、係員により押下操作されると、回収完了信号が、通信部１１を介して、管理装置３０に送信される。これにより、管理装置３０は、貨幣の回収完了を判定し、その金庫１０に施錠信号を送信して、開錠部１３が扉を施錠するようになっている。
なお、この回収完了信号に代わって、管理装置３０が、金庫の扉が開放されて、閉塞したことを示す、開放信号の受信と、その後の受信停止を検出した場合に、貨幣の回収完了と判定してもよい。
さらに、金庫１０は、扉の開放を検出するセンサを有しているため、扉の開放と扉の閉塞を判定できることから、扉の開放後に閉塞した場合には、管理装置３０からの施錠信号を待たずに、自ら開錠部１３を制御して、施錠させてもよい。
【００２５】
次に、中継装置２０は、図５に示すように、管理装置３０と相互通信を行う通信部２１と、所定の電波を発信するとともに、端末装置４０から固有情報（ＩＤ）を受信するＩＤ通信部２２と、制御プログラム等の記憶や作業領域として機能する記憶部２３と、これらを制御する中央演算処理装置（ＣＰＵ）を搭載したコンピュータからなる制御部２４などで構成されている。
中継装置２０は、ＩＤ通信部２２が固有情報（ＩＤ）を受信すると、この固有情報（ＩＤ）と、自らの送信元を示す物理アドレスとを、通信部２１を介して、管理装置３０に送信する。これにより、管理装置３０は、この物理アドレスにより送信元の中継装置２０を特定するとともに、この中継装置２０に対応する領域を、端末装置４０の現在位置として特定する。
また、中継装置２０は、ＩＤ通信部２２が固有情報（ＩＤ）を受信している限り、定期的に（例えば、２ｍｓごと）、固有情報（ＩＤ）と自らの物理アドレスを、管理装置３０に送信している。
これにより、管理装置３０は、端末装置４０の現在位置をリアルタイムに特定できるとともに、固有情報（ＩＤ）が受信されなくなったときからの時間を計時することで、後述の移動時間を監視することができる。
【００２６】
次に、端末装置４０は、図６に示すように、固有情報（ＩＤ）を書替え可能な揮発性記録媒体からなるＩＤ記憶部４１と、中継装置２０からの電波を受信するとともに、反射波に記憶した固有情報（ＩＤ）を搬送して発信する通信部４２と、これらを制御する中央演算処理装置（ＣＰＵ）を搭載したコンピュータからなる制御部４３などで構成されている。
このように、本実施形態の端末装置４０は、タグリーダからなる各中継装置２０に対応する領域内において、各中継装置２０から電波を受信することで、この電波により発電して、反射波に固有情報（ＩＤ）を搬送して発信するパッシブタイプのＲＦタグで構成されている。
これにより、各中継装置２０を、対応する領域が各々干渉しないように配置することで、固有情報（ＩＤ）を受信した領域内が、端末装置４０の現在位置であると断定できる。
【００２７】
また、固有情報（ＩＤ）は、各金庫１０を開錠させる開錠キーとなっている。
すなわち、その領域に金庫１０を含む中継装置２０から管理装置３０に送信された固有情報（ＩＤ）は、管理装置３０に予め設定されている固有情報（ＩＤ）と照合され、一致している場合に、管理装置３０からその金庫１０に開錠信号が送信されて、開錠される。
そして、ＩＤ記憶部４１に記憶されている固有情報（ＩＤ）は、書替え可能であることから、回収する毎に、新たな固有情報（ＩＤ）に書替えるとともに、管理装置３０において照合される固有情報（ＩＤ）を新たな固有情報（ＩＤ）に更新することで、セキュリティの向上が図られる。
【００２８】
また、端末装置４０は、貨幣を回収する回収容器である回収袋５０に取り外し不能に一体に取付けられている（図３参照）。
これにより、金庫１０を開錠させるためには、係員はこの回収袋５０を携行しなければならないことから、回収した貨幣と端末装置４０の所在が一致することになり、端末装置４０の位置が特定できれば、回収した貨幣の位置が特定できることになる。
【００２９】
なお、本実施形態では、端末装置４０を、パッシブタイプのＲＦタグとしたが、これより出力範囲の広いアクティブタイプとすることもできる。
この場合には、複数の中継装置２０が固有情報（ＩＤ）を受信することになるが、中継装置２０が、受信した電波入力の強弱を検出することで、端末装置４０の現在位置を特定することもできる。
例えば、端末装置４０の現在位置と各中継装置２０との距離は、受信した電波の強弱に比例することから、中継装置２０ごとに、受信した電波の強弱に比例した範囲を、中継装置２０を中心して求めるとともに、この範囲において重複した領域を、端末装置４０の現在位置と特定してもよい。
【００３０】
管理装置３０は、図７に示すように、金庫１０及び中継装置２０と相互通信を行う通信部３１と、制御プログラム、係員の行動履歴などの記憶や、作業領域として機能する記憶部３２と、キーボードやマウスなどの入力装置であって、入力操作により、回収ルートや所要時間の設定を行う入力部３３と、上記の各設定画面や遊技場のレイアウトを表示する液晶ディスプレイなどの表示部３４と、これらを制御する中央演算処理装置（ＣＰＵ）を搭載したコンピュータからなる制御部３５などで構成されている。
【００３１】
通信部３１は、金庫１０及び中継装置２０と相互通信を行うほか、インターネット回線に接続されている。このため、例えば、記憶部３２に記憶された係員の行動履歴や、管理装置３０が判定した係員の異常行動の発生内容を、遊技場外に待機している遊技場の経営者等が所持する携帯端末に送信できるようになっている。
【００３２】
金庫１０に収容された貨幣を回収する回収ルートと、この回収ルートに従った各領域間の移動に要する所要時間と、この回収ルートにおける回収する金庫１０の順番の設定は、表示部３４に表示された設定画面や遊技場のレイアウト画面を目視しつつ、入力部３３を操作することで行われる。
回収ルートの設定は、図８に示した遊技場のレイアウト画面において、マウスを用いて設定できる。
【００３３】
具体的には、入力部３３を操作して、表示部３４の表示領域３４１に遊技場のレイアウト画面を表示させるとともに、例えば、マウスを図中反時計回り、又は時計回りに移動させることで、回収ルート１（実線）又は回収ルート２（破線）のいずれかを選択することができる。さらに、このとき、遊技場のレイアウト画面に各中継装置２０に対応する領域を表示させ、回収に際して通過する領域をマウスで指示することによって、回収ルートが設定されるようになっている。
【００３４】
そして、回収ルートが設定されると、この回収ルートに沿った係員が通過する領域と、回収する金庫の順番が自動的に表示される。
回収ルートに対して設定された設定内容と、この設定内容に対する実際の係員の行動履歴を、図９を用いて説明する。
回収ルートの設定内容と係員の行動履歴は、同図に示すように、表示部３４に、表形式で表示される。
この例では、回収ルート１が設定されたときの設定内容を、表形式の左側の欄に表示してある。
【００３５】
回収ルートの設定内容には、回収ルートに沿って係員が通過する領域を示す「回収ルートに沿った領域」と、この領域に対応して回収すべき金庫の順番を示す「対応する金庫番号」と、回収ルートに沿って前の領域で固有情報（ＩＤ）が受信されなくなったときから、次の領域で固有情報（ＩＤ）が受信されるまでに要する時間、すなわち、各領域間を係員が移動するときに要する時間を示す「所要時間」と、が表示される。
この図９の例では、回収ルート１に沿って、係員が「領域１−１」〜「領域８−１」を通過することで、「金庫１０−１」〜「金庫１０−８」の順番で貨幣を回収するように設定されるとともに、各領域間の移動に要する所要時間が「３秒」と設定されている。
【００３６】
なお、これらの各設定は、キーボード入力等により個々に設定変更可能であり、例えば、同じ回収ルートであっても、「対応する金庫番号」における金庫番号を入替えることで、回収すべき金庫の順番を替えることができる。この場合には、同じ領域を幾度も往復して通過する場合もあり、回収ルートをより複雑にすることができる。
【００３７】
また、管理装置３０には、非接触で、端末装置４０に記憶される固有情報（ＩＤ）を書替え可能なＩＤライタが設けられている（不図示）。そして、この書替えられた固有情報（ＩＤ）は、開錠可能な「開錠キーＩＤ」として、上記の回収ルートの設定内容とともに、記憶部３２に記憶されるようになっている。
【００３８】
また、係員の行動履歴は、回収ルートの設定内容と比較可能なように、表形式の右側の欄に表示される。
表示されているこれらの行動履歴は、通信部３１を介して、固有情報（ＩＤ）を発信する端末装置４０を携行した係員の行動に伴って各中継装置２０から受信した固有情報（ＩＤ）と、各金庫１０から受信した回収完了信号と、これらの送信元を示す物理アドレスと受信時間とに基づいて順次記憶部３２に記憶されたものと、制御部３５が、予め設定された回収ルートの設定内容と、受信した固有情報（ＩＤ）及び送信した中継装置２０とを比較照合した結果が、逐次記憶部３２に記憶されたものである。
【００３９】
具体的には、各中継装置２０から受信した固有情報（ＩＤ）を示す「端末装置ＩＤ」と、この固有情報（ＩＤ）を受信した中継装置２０に対応する領域を示す「受信領域」と、一の領域で固有情報（ＩＤ）が受信された後、その領域で受信されなくなったときから計時が開始され、次の領域でその固有情報（ＩＤ）が受信されるまでの時間、すなわち、係員の領域間の移動時間を示す「移動時間」と、金庫１０から送信された回収完了信号の受信時間を示す「回収完了信号受信時間」と、受信した固有情報（ＩＤ）、この固有情報（ＩＤ）を受信した領域、移動時間に基づいて、制御部３５において判定された係員の異常行動の有無を示す「異常の有無」と、が表示される。
【００４０】
「異常の有無」については、制御部３５において、以下のように判定される。
まず、制御部３５は、受信した固有情報（ＩＤ）と、記憶部３２に予め記憶されている「開錠キーＩＤ」とを比較照合し、照合の結果一致する場合は、「正常」と判定し、不一致の場合には、異なる「端末装置ＩＤ」を用いて不正に開錠しようとする「異常」と判定する。
【００４１】
また、制御部３５は、この固有情報（ＩＤ）を受信した中継装置２０に対応する「受信領域」と、回収ルートの設定内容である「回収ルートに沿った領域」とを比較照合し、照合の結果一致する場合は、「正常」と判定する。
この「正常」と判定した場合において、「受信領域」がその領域に予め紐付けされている金庫１０を含むときには、制御部３５は、その金庫１０に対して、通信部３１を介し、開錠信号を送信する。
これにより、この「受信領域」に対応する金庫１０になんら触れることなく、開錠させることができ、回収時の作業効率を向上させることができる。
一方、不一致の場合には、回収ルートから外れた異常行動として「異常」と判定する。
なお、この「回収ルートに沿った領域」には、予め設定された回収すべき金庫の順番が含まれていることは、明らかであるため、「受信領域」が、この「回収ルートに沿った領域」と異なることは、回収すべき金庫の順番が異なることに他ならない。
【００４２】
さらに、制御部３５は、計時中の「移動時間」を、回収ルートの設定内容である「所要時間」と比較照合し、「移動時間」が「所要時間」以内であれば、「正常」と判定し、「移動時間」が「「所要時間」を超えたときは、「異常」と判定する。
なお、「移動時間」は、制御部３５に搭載されているクロック発振器などを用いたハードウエアタイマや、ソフトウエアタイマを用いて計時するようになっている。
このように、「移動時間」を監視して、「異常」を判定できることから、遊技場１００のほぼすべての場所に中継装置２０を配置する必要がなくなり、貨幣回収監視システムの構築におけるコストの低減が図られる。
【００４３】
そして、制御部３５は、上記の各判定において、いずれかひとつでも「異常」と判定された場合は、すべての各金庫１０に対して、開錠信号を送信しない、開錠禁止状態に移行する。
このときには、たとえ、その領域に金庫１０を含む中継装置２０から受信した固有情報（ＩＤ）が「開錠キーＩＤ」と一致したとしても、その金庫１０に対してのみならず、すべての金庫１０に、開錠信号を送信しないようになっている。これにより、すべての金庫１０に対して施錠状態を保証できる。
このように、固有情報（ＩＤ）の一致と、回収する金庫１０の順番を含み、係員が通過すべき領域の順番を示す回収ルートの一致と、移動時間の制限とをすべて満足しない限り、金庫１０が開錠されないため、セキュリティの向上が図られる。
【００４４】
そして、図９に示す例では、領域４−１から領域８−１までの移動時間が、設定された所要時間（３秒）を超えたため、次に回収する予定であった金庫１０−８のみならず、すべての金庫１０に対し「開錠禁止」としたものである。このときには、「異常の有無」には、「異常」を表示する。なお、固有情報（ＩＤ）と回収ルートがともに一致するとともに、移動時間の制限をもすべて満足し、制御部３５が、正常と判定したときには、「異常の有無」に、「正常」を表示するようになっている。
【００４５】
さらに、係員の行動履歴において、制御部３５が「異常」を判定した場合の異なる例について、図１０を参照しつつ説明する。
図１０は、制御部３５が、固有情報（ＩＤ）を受信した中継装置２０に対応する「受信領域」と、回収ルートの設定内容である「回収ルートに沿った領域」とを比較照合し、不一致と判定した場合を示し、図１０（ａ）は、トイレＲで固有情報（ＩＤ）を受信した場合を示す図であり、図１０（ｂ）は、で、出入口Ｅ１で固有情報（ＩＤ）を受信した場合を示す図である。
【００４６】
図１０（ａ）に示す例では、予め設定された「回収ルートに沿った領域」によると、領域１―１で固有情報（ＩＤ）が受信された後に、領域２―１で受信されるはずであるが、係員の行動履歴における「受信領域」では、領域１―１で受信された後に、領域トイレＲで受信されている。
その結果、制御部３５は、領域が不一致であるため「異常」と判定する。
また、この場合、計時中の移動時間（８秒）も、所定時間（３秒）を超えることになり、制御部３５は、このことからも、「異常」と判定することができる。
【００４７】
特に、この例では、領域１―１に、金庫１０−１を含むとともに、金庫１０−１から既に回収完了信号を受信している。その結果、制御部３５は、係員が金庫１０−１から貨幣を回収した後に、トイレＲにおいて、回収した貨幣が着服された可能性がある「異常行動」と判定できる。
このようなときは、制御部３５は、表示部３４を制御して、係員の異常行動を示すメッセージとして、例えば、「トイレＲで、異常行動発生中」などを表示させたり、管理装置３０に接続された店内放送用のスピーカを制御して、係員の異常行動を外部に報知するようになっている。
【００４８】
同様に、図１０（ｂ）では、予め設定された「回収ルートに沿った領域」によると、領域３―１で固有情報（ＩＤ）が受信された後に、領域７−５で受信されるはずであるが、係員の行動履歴における「受信領域」では、領域３―１で受信された後に、領域出入口Ｅ１で受信されている。
その結果、制御部３５は、領域が不一致であるため「異常」と判定する。
また、この場合、計時中の移動時間（７秒）も、所定時間（３秒）を超えることになり、制御部３５は、このことからも、「異常」と判定することができる。
【００４９】
特に、この例では、領域１―１、領域２―１、領域３―１に、各々金庫１０−１、金庫１０−２、金庫１０−３を含むとともに、各金庫１０−１〜１０−３から既に回収完了信号を受信している。その結果、制御部３５は、係員が金庫１０−３から貨幣を回収した後に、貨幣が収納された回収袋５０が何者かに強奪され、その者が出入口Ｅ１から遊技場外に逃走する可能性がある「異常行動」と判定できる。
このようなときは、制御部３５は、表示部３４を制御して、異常行動を示すメッセージとして、例えば、「出入口Ｅ１で、異常行動発生中」などを表示させたり、管理装置３０に接続された店内放送用のスピーカを制御して、異常行動を外部に報知するようになっている。
【００５０】
次に、制御部３５が、表示部３４を制御して、遊技場のレイアウトを示すレイアウト画面において、係員の回収状況をリアルタイムで表示させた表示例を図１１〜図１３に示す。
各図に示すように、表示部３４は、複数の表示領域３４１〜３４４に区画され、例えば、表示領域３４１には、遊技場１００のレイアウトを表示し、表示領域３４２には、現在の日時を表示し、表示領域３４３には、現在の係員の行動がメッセージとして表示し、また、表示領域３４４には、遊技場１００のレイアウトにおける各領域の状態説明を表示してある。
【００５１】
表示領域３４１に表示されている遊技場１００のレイアウトには、予め設定された回収ルートが表示されるとともに（この例では、回収ルート１）、少なくとも回収対象となっている金庫１０を含む領域１−１〜１１−１と、特定箇所を示す領域として領域トイレＲ、領域出入口Ｅ１，Ｅ２とが表示されている。
図１１に示す例では、表示領域３４４に表示されている各領域の状態説明によると、領域１−１、領域２−１、領域３−１、領域７−１、領域１１−１は、格子模様が施されていることから、それぞれの領域に対応する金庫１０は、「回収完了」となっていることがわかる。
これは、制御部３５が、各金庫１０から回収完了信号が送信されたときに、「回収完了」と判定して、表示させている。
【００５２】
同様に、領域４−１、領域５−１、領域８−１、領域９−１、領域１０−１は、横縞模様が施されていることから、表示領域３４４に表示されている各領域の状態説明によると、それぞれの領域に対応する金庫１０は、「未回収」となっていることがわかる。これは、制御部３５が、未だ回収完了信号が送信されていない金庫１０を、「未回収」と判定して、表示させている。
また、制御部３５は、この判定に、各金庫１０から送信される満杯信号の受信を加えて、両方が成立したときにのみ、「未回収」と判定してもよい。
これにより、満杯信号を送信していない金庫１０があるときには、その金庫１０を回収の必要のない金庫１０として、回収対象から除外させることもできる。この場合には、その領域を空白にして無模様としてもよい。
【００５３】
また、上記の「回収完了」と「未回収」の状態の表示に加え、制御部３５が、該当する各金庫１０から開放信号が送信されていないこと判定して、各金庫１０の扉が閉塞されている表示を行うこともできる。この場合には、例えば、各金庫に対応する領域に鍵の形状を施した「鍵マーク」を重ねて表示させることもできる。
これにより、表示部３４を注視して、係員の行動を監視している遊技場の管理者は、「鍵マーク」が表示されている領域に対応する金庫１０は、その扉が閉塞されているものと、一目で識別でき、反対に、「回収完了」と「未回収」の状態であるにもかかわらず、「鍵マーク」が表示されていない領域に対応する金庫１０は、「異常状態」と判定できる。
【００５４】
また、図１１に示す例では、領域６−１は、斜線模様が施されていることから、表示領域３４４に表示されている各領域の状態説明によると、端末装置４０、すなわち、係員は、現在、この領域６−１に位置していることがわかる。
そして、この領域６−１は、管理装置３０において、金庫１０−６と紐付けされている。
その結果、制御部３５は、この領域６−１に対応する中継装置２０から送信された固有情報（ＩＤ）と「開錠キーＩＤ」とを比較照合し、一致していた場合には、金庫１０−６に開錠信号を送信する。
【００５５】
また、制御部３５は、この金庫１０−６から開放信号を受信することで、この金庫１０−６の扉が開放中であることを判定することができる。
この場合には、この領域６−１を点滅表示させるなど、この金庫１０−６が現在開放中であることを一目で認識できるような表示を行うことで、表示部３４を注視している遊技場の管理者に、係員の現在の行動を、リアルタイムに伝達することもできる。
そして、このときには、表示領域３４３に、現在の係員の行動として、「回収ルート１  金庫１０−６回収中」などのメッセージが表示されるようになっている。
【００５６】
次に、図１２と図１３は、制御部３５が異常と判定した場合を示す、回収状況における係員の異常行動の表示例である。
図１２は、図１０（ａ）における係員の行動履歴に対応させた図であり、図１３は、図１０（ｂ）における係員の行動履歴に対応させた図である。
各図に示すように、領域トイレＲ、又は領域出入口Ｅ１に、縦縞模様が施されていることから、表示領域３４４に表示されている各領域の状態説明によると、係員は、現在回収ルート１から外れた領域に位置し、異常行動をとっていることがわかる。
このとき、表示領域３４３には、「トイレＲ  異常行動発生中」や「出入口Ｅ１  異常行動発生中」などのメッセージが表示されるようになっている。
このように表示部３４において、係員の現在位置、異常行動の発生位置が一目で認識できるとともに、金庫１０ごとの貨幣の回収・未回収状況、扉の開放・閉塞状態、異常行動の発生状況をリアルタイムで確認することができる。
【００５７】
次に、以上のように構成された本実施形態の遊技場の貨幣回収監視システム１を構成する金庫１０と、中継装置２０と、管理装置３０と、端末装置４０とが連関して行う制御処理について、図１４のフローチャートを参照して説明する。
【００５８】
同図に示すように、まず、金庫１０は、貯蓄された貨幣が満杯になると、満杯信号を、管理装置３０に送信する（Ｓ１）。管理装置３０は、満杯信号を受信すると（Ｓ２）、例えば、満杯信号を送信した金庫１０の数を計数し、その数が所定数以上になると、回収を促すような報知を行うこともできる。この場合の報知としては、アラーム音を発するとともに、回収ルートの設定を行う遊技場のレイアウトを表示部３４に表示させることもできる。
なお、満杯信号の受信によらず、定期的に回収を行う場合もあり、このような場合は、管理装置３０に、回収を促す報知を、一定の時間毎に行わせることもできる。
そして、このアラーム音やレイアウトの表示に促された遊技場の管理者は、回収する金庫１０の順番を含み、係員が通過すべき領域の順番を示す回収ルートの設定を行う（Ｓ３）。
を、さらに、所要時間を通過する領域間毎に設定する（Ｓ４）。
また、今回の回収で各金庫１０を開錠可能な「開錠キーＩＤ」を設定する（Ｓ５）。
このときには、端末装置４０に記憶される固有情報（ＩＤ）を書替えるとともに、管理装置３０に記憶されている「開錠キーＩＤ」を書替えたＩＤに更新する。
そして、開錠禁止状態を解除する（Ｓ６）。これにより、その領域に金庫１０を含む中継装置２０から受信した固有情報（ＩＤ）が「開錠キーＩＤ」と一致したときには、その金庫１０に対して、開錠信号を送信できるようになる。
【００５９】
このような回収ルートの設定が終了した後、遊技場の管理者は、回収ルート（回収する金庫１０の順番を含み、係員が通過すべき領域の順番）を、係員のみに教示する。
係員は、教示された回収ルートに従って、端末装置４０が取外し不能に取付けられた回収袋５０を携行しつつ、各金庫１０から貨幣の回収を行う。
端末装置４０は、中継装置２０から発信される電波を受信すると、反射波として、固有情報（ＩＤ）を発信する（Ｓ７）。
中継装置２０は、固有情報（ＩＤ）を受信すると（Ｓ８）、この固有情報（ＩＤ）を管理装置３０に送信する（Ｓ９）。
【００６０】
管理装置３０は、この固有情報（ＩＤ）を受信すると（Ｓ１０）、送信した中継装置２０に対応する領域が、端末装置４０の現在位置であると特定するとともに（Ｓ１１）、この固有情報（ＩＤ）と「開錠キーＩＤ」との照合を行う（Ｓ１２）。
また、この領域が、回収ルートに沿った領域か否かの照合と（Ｓ１３）、移動時間と所要時間との照合を行う（Ｓ１４）。
その照合の結果、異常行動か否かの判定を行い（Ｓ１５）、異常行動と判定したときは（Ｓ１５−ＹＥＳ）、再び開錠禁止状態にするとともに（Ｓ１６）、表示部３４や、店内放送用のスピーカを制御して、異常の報知を行う（Ｓ１７）。
一方、異常行動でないと判定したときは（Ｓ１５−ＮＯ）、この固有情報（ＩＤ）を送信した中継装置２０が金庫１０と紐付けされている場合には、その金庫１０に対して、開錠信号を送信する（Ｓ１８）。
【００６１】
金庫１０は、開錠信号を受信すると（Ｓ１９）、扉を開錠させる（Ｓ２０）。そして、係員により貨幣の回収が完了すると、扉を施錠するとともに、所定の操作により、回収完了信号が管理装置３０に送信される（Ｓ２１）。
管理装置３０は、回収完了信号を受信すると（Ｓ２２）、表示部３４の係員の行動履歴や、レイアウトの画面に、回収の完了を表示させる（Ｓ２３）。なお、管理装置３０が、この回収完了信号を受信したとき、金庫１０に施錠信号を送信し、この施錠信号に基づいて、金庫１０の扉が施錠されるようにしてもよい。
【００６２】
以上説明したように、本実施形態に係る遊技場の貨幣回収監視システム１によれば、係員に携行させる端末装置４０から発信する固有情報（ＩＤ）に基づき、係員の位置を特定することで、金庫１０から回収した貨幣を、着服や強奪から護ることができる。
【００６３】
以上、本発明の遊技場の貨幣回収監視システムについて、好ましい実施形態を示して説明したが、本発明に係る遊技場の貨幣回収監視システムは、上述した実施形態にのみ限定されるものではなく、本発明の範囲で種々の変更実施が可能であることはいうまでもない。
【００６４】
例えば、本実施形態では、端末装置４０に記憶された固有情報（ＩＤ）を書替え可能としたが、それぞれ固有情報（ＩＤ）が異なる複数の端末装置４０を用意しておき、貨幣の回収毎に係員に携行させる端末装置４０を変更することもできる。これによっても、固有情報（ＩＤ）の書替えと同様、セキュリティを向上させることができる。
また、本実施形態では、固有情報（ＩＤ）の照合を管理装置で行ったが、予め各金庫に「開錠キーＩＤ」を送信して記憶させておき、各金庫において、固有情報（ＩＤ）との照合を行ってもよい。そして、照合の結果、一致した場合は、管理装置からの送信される開錠信号によらず、各金庫の自らの判定によって開錠させることもできる。
【産業上の利用可能性】
【００６５】
本発明は、遊技場に設置されている金庫を監視する貨幣回収監視システムとして広く利用することができる。
【符号の説明】
【００６６】
１  貨幣回収監視システム
１０  金庫
２０  中継装置
３０  管理装置
４０  端末装置
５０  回収袋
１００  遊技場
【図１】
2010179041.tif 000003
【図２】
2010179041.tif 000004
【図３】
2010179041.tif 000005
【図４】
2010179041.tif 000006
【図５】
2010179041.tif 000007
【図６】
2010179041.tif 000008
【図７】
2010179041.tif 000009
【図８】
2010179041.tif 000010
【図９】
2010179041.tif 000011
【図１０】
2010179041.tif 000012
【図１１】
2010179041.tif 000013
【図１２】
2010179041.tif 000014
【図１３】
2010179041.tif 000015
【図１４】
2010179041.tif 000016